(57)【特許請求の範囲】
【請求項１】
ハウジング（２０）と、前記ハウジング内に配置されるとともに有用空気出口高さＨuを持つブレード（５）を有する少なくとも１つのタービン（４）と、を備えた送風機であって、前記ハウジングは前記タービン（４）の端面の側に位置する空気入口領域を有し、前記送風機は分離ダクトを備えており、前記分離ダクトは少なくとも部分的に分離デフレクタにより画定され、前記空気入口領域からの空気を、入口断面積Ｓintを有する前記分離ダクトの内部（３１）を流れる中央流れ（Ａ）と、入口断面積Ｓextを有する前記分離ダクトの周辺を流れる環状の周辺流れ（Ｂ）とに分離するとともに、前記流れを前記ハウジング内の前記タービンのブレード（５）に差し向けるようになっており、Ｓint／Ｓextの比が０．５と２との間にあり、
前記送風機は、環状のラジアルデフレクタ（３０）をさらに備え、前記ラジアルデフレクタ（３０）は、前記タービンの下流側に配置され、前記ハウジング（２０）と一体であり、かつ、前記中央流れと前記周辺流れとを分離し、
前記タービンの前記ブレード（５）の下流端と前記ラジアルデフレクタ（３０）の内側端との間の距離Ｈclが、Ｈcの７０％とＨcの１１０％との間であり、ここでＨcは前記タービンの前記ブレード（５）の下流端と前記分離デフレクタ（１０）の下流端との間の距離であり、
前記分離デフレクタ（１０）の広がった下流端に接する直線は、前記ラジアルデフレクタ（３０）の上流端よりも下に位置することを特徴とする送風機。
【請求項２】
Ｓint／Ｓextの比が１に等しいことを特徴とする、請求項1に記載の送風機。
【請求項３】
前記分離ダクトを画定する分離デフレクタ（１０）が、閉じた輪郭を有し、上流から下流に向かって広がっていることを特徴とする、請求項１または２に記載の送風機。
【請求項４】
前記タービンの前記ブレード（５）の下流端と前記分離デフレクタ（１０）の下流端との間の距離Ｈcが、Ｈu／２の７０％とＨu／２の１２０％との間であることを特徴とする、請求項１に記載の送風機。
【請求項５】
前記距離Ｈcが実質的にＨu／２に等しいことを特徴とする請求項４に記載の送風機。
【請求項６】
前記ラジアルデフレクタ（３０）が、三角法において、縦方向軸線に対して４５°と９０°の間の角度であることを特徴とする、請求項１に記載の送風機。
【請求項７】
前記ラジアルデフレクタ（３０）が前記縦方向軸線に対して垂直であることを特徴とする、請求項６に記載の送風機。
【請求項８】
前記分離デフレクタ（１０）の上流端が前記ハウジング（２０）の壁の外側に突き出ていることを特徴とする、請求項３から７のうちのいずれか一項に記載の送風機。
【請求項９】
前記分離デフレクタ（１０）の上流端は、前記ハウジング（２０）の内部に配置され、前記分離デフレクタ（１０）の上流端と、前記分離デフレクタ（１０）が通過する前記ハウジング（２０）の壁との間の距離は、前記分離デフレクタ（１０）の上流端（１０Ｂ）の内径の１０％未満であることを特徴とする、請求項３から７のうちのいずれかに記載の送風機。
【請求項１０】
前記ブレードと前記分離デフレクタの下流端との間の半径方向の遊びが１ｍｍと７ｍｍとの間であることを特徴とする、請求項３から９のうちのいずれか一項に記載の送風機。
【請求項１１】
前記ブレードと前記ラジアルデフレクタの内側端との間の半径方向の遊びが１ｍｍと７ｍｍとの間であることを特徴とする、請求項１から１０のうちのいずれか一項に記載の送風機。
【請求項１２】
前記遊びが実質的に４ｍｍに等しいことを特徴とする請求項１０または１１に記載の送風機。
【請求項１３】
請求項１から１２のうちのいずれか一項に記載の送風機を含む、暖房、換気および/または空調のための装置。
【発明の詳細な説明】
【技術分野】
【０００１】
本発明は、送風機と、このような送風機を備えた暖房、換気および/または空調のための装置に関する。
【背景技術】
【０００２】
そのような送風機は、特許文献ＦＲ２７８８０８６に記載されている。
【０００３】
前記送風機は単一のタービン（羽根車）を含み、このタービンは、円筒の周囲に配置された複数のブレード（翼）を有し、かつ、縦方向軸線を有し、この縦方向軸線周りにこのタービンがモータによって回転させられ、さらにこの送風機は、タービンの端面の側に位置する空気取り入れ領域を含んでいる。
【０００４】
分離デフレクタが上流側から下流側に向けて広がる閉じた輪郭を有する分離ダクトを画定し、この分離ダクトが、空気取り入れ領域の空気を、分離ダクトの内部を流れる中央流れと、分離ダクトの周辺を流れる周辺流れとに分離し、これらの流れを送風機の内部のタービンのブレードに向かわせる。
【先行技術文献】
【特許文献】
【０００５】
【特許文献１】フランス国特許ＦＲ２７８８０８６明細書
【発明の概要】
【発明が解決しようとする課題】
【０００６】
本発明の目的は、そのような送風機を、出力が最適化され、かつ、圧力損失が低減されることを確実にする寸法的考察によって改良することである。
【課題を解決するための手段】
【０００７】
従って、本発明は、有用空気出口高さＨuを持つブレードを有する少なくとも１つのタービンを備えた送風機であって、前記送風機は前記タービンの端面の側に位置する空気入口領域を有するとともに分離ダクトを備えており、前記分離ダクトは少なくとも部分的に分離デフレクタにより画定され、前記空気入口領域からの空気を、入口断面Ｓintを有する前記分離ダクトの内部を流れる中央流れと、入口断面Ｓextを有する前記分離ダクトの周辺を流れる環状の周辺流れとに分離するとともに、これらの流れを前記送風機の内部の前記タービンのブレードに差し向けるようになっており、Ｓint／Ｓextの比が０．５と２との間にあることを特徴とする送風機を提案する。
【０００８】
この本質的な寸法上の特徴は、圧力損失の低減を確実にし、これは、以下の特徴の１つまたはいくつかを用いてさらに最適化することができる。
【０００９】
好ましい態様において、Ｓint／Ｓextの比は1に等しい。
【００１０】
好ましい態様において、分離デフレクタが、上流から下流に向かって広げられた閉じた輪郭を有する前記分離ダクトを画定する。
【００１１】
第２の寸法的特徴によれば、前記タービンの前記ブレードの下流端と前記分離デフレクタの下流端との間の距離Ｈcは、Ｈu／２の７０％とＨu／２の１２０％との間にある。
【００１２】
好ましい態様において、距離Ｈcは実質的にＨu／２に等しい。
【００１３】
好適な態様では、送風機はまた、前記タービンの下流側に配置され、ハウジングと一体であり、中心流れと周辺流れとを分離する、ラジアルデフレクタを含む。
【００１４】
第３の寸法的特徴によれば、前記ラジアルデフレクタは、前記縦方向軸線に対して、三角法の意味で、４５°と９０°との間の角度にある。
【００１５】
好ましい態様では、前記ラジアルデフレクタは前記縦方向軸線に垂直である。
【００１６】
第４の寸法的特徴によれば、前記タービンの前記ブレードおよび前記ラジアルデフレクタの内側端は、Ｈｃの７０％とＨｃの１１０％との間にあり、Ｈcは前記タービンの前記ブレードの下流端と前記分離デフレクタの下流端との間の距離である。
【００１７】
好ましい態様では、前記分離デフレクタの広がった下流端に接する直線は、図面で採用されている向きで、前記ラジアルデフレクタの上流端のレベルまたはその下に配置される。
【００１８】
第５の寸法的特徴によれば、前記分離デフレクタの上流端が前記ハウジングの壁の外側に突き出ているか、あるいは前記ハウジングの内部に配置されていて、前記分離デフレクタの上流端と、前記分離デフレクタと交差する前記ハウジングの壁との間の距離は、前記分離デフレクタの上流端の内径の１０％未満である。
【００１９】
第６の寸法的特徴によれば、前記ブレードと前記分離デフレクタの下流端との間の半径方向の遊びは、１ｍｍと７ｍｍとの間である。
【００２０】
第７の寸法的特徴によれば、前記ブレードと前記ラジアルデフレクタの内側端との間の半径方向の遊びは、１ｍｍと７ｍｍとの間である。
【００２１】
好ましい態様において、前記遊びは実質的に４ｍｍに等しい。
【００２２】
本発明はまた、このような送風機を含む暖房、換気および/または空調のための装置に関する。
【００２３】
本発明は、本発明の好ましい実施形態を示すに過ぎない図面によりより詳細に説明される。
【図面の簡単な説明】
【００２４】
【図１】図1は、本発明による送風機の斜視図である。
【図２】図2は、平面Ｉ−Ｉによる、本発明の第１の実施形態による送風機の縦断面図である。
【図３】図3は、Ｉ−Ｉによる、本発明の第２の実施形態による送風機の縦断面図である。
【発明を実施するための形態】
【００２５】
図１に示すように、本発明は、単一のタービン４を含む送風機に関するものであり、当該タービン４は、有用空気出口高さＨuを有するとともに円筒の周囲に分布している複数のブレード５を有する。タービン４は縦方向軸線を有し、タービン４はその周りをモータによって回転させられる。モータ２０は図には現れておらず、ハウジング２０によって取り囲まれている。
【００２６】
前記送風機はタービンの端面の側に位置する空気入口領域を有するとともに分離ダクトを画定する分離デフレクタ１０を備える。分離ダクトは上流から下流に向かって広がる閉じた輪郭を有し、空気入口領域からの空気を、入口断面Ｓintを有する分離ダクトの内部３１内を流れる中央流れＡと、入口断面Ｓextを有する分離ダクトの周辺を流れる環状の周辺流れＢとに分離するとともに、これらの流れを送風機の内部のタービン４のブレードに差し向ける。換言すれば、送風機４の内部に到達する空気流は、送風機４の縦方向回転軸を中心に回転する分離デフレクタ１０によって２つの流れ、つまり中心流れＡと周辺流れＢとに分割される。分離デフレクタ１０は、図示されていない半径方向のフィンによってハウジング２０に固定されており、流れＡおよびＢをブレード５の方に差し向けるために広がるように輪郭付けられている。したがって、分離デフレクタ１０は、中央ダクト３１および環状の周辺ダクト３２を画定し、これらダクトはそれぞれの出口と連通している。
【００２７】
図２および図３に示す例では、分離デフレクタ１０は、断面で見て円形の断面を有する上流領域１０Ｂと、拡大された下流側領域１０Ａとを有し、この下流側領域１０Ａの端部は、好ましくは円筒状のリングの半径方向を向いている。具体的には、端部１０Ａは、ブレード５の中間部に位置しており、このことにより、流れＡ及びＢをブレード５の上部及び下部に均等に差し向けることにより、流れＡ及びＢを２つの出口に均等に分配することができる。分離デフレクタ１０が存在することにより、流れを分離してブレードに向かって方向を変えることによって、ブレードの下部でより多くの層流が得られ、上部の機能が改善され、ブレードの全高さにわたってより良いブレード５の出力が提供される。
【００２８】
このような送風機は、特許文献ＦＲ２７８８０８６に記載されており、暖房、換気および/または空調のための装置、特に自動車に設置される装置に組み込まれることを意図されている。流れの一つは、例えば、風防ガラス（フロントガラス）に向けられるように意図され、他の流れは、例えば、車両の乗客の足に向けて下方に向けられるように意図されている。この特徴は、本発明の第１の実施形態を示す図２においてよりよく見ることができる。
【００２９】
送風機はまた環状のラジアルデフレクタ３０を備え、このデフレクタ３０はタービンの下流側に配置され、ハウジング２０と一体であり、中央流れＡと周辺流れＢとを分離する。このような環状のラジアルデフレクタ３０は、ホイール４の周縁部に配置され、流れＡ及びＢを出力部において完全に分離し、空気の２つの並列な回路を形成する。このことは、上記２つの流れが異なる供給源（外気及び再循環空気）に由来している場合に特に適している。好ましくは均等な、ブレードの上部及び一部（下部）に向かう流れの分配は、空気の分配を改善し、送風機の下部及び上部で拡散される空気の量を均質化することを可能にし、特に、空気流のバランスを作り出す。
【００３０】
本発明によれば、Ｓint ／Ｓextの比は０．５から２の間であり、好ましくは１に等しい。
【００３１】
タービンのブレード５の下流端と前記分離デフレクタ１０の下流端との間の距離Ｈcは、Ｈu／２の７０％とＨu／２の１２０％のとの間であり、前記距離Ｈcは、好ましくはＨu／２にほぼ等しい。
【００３２】
環状のラジアルデフレクタ３０は、縦方向軸線に垂直である。
【００３３】
タービンブレード５の下流端と環状のラジアルデフレクタ３０の内側端との間の距離Ｈclは、Ｈcの７０％とＨc の１１０％との間であり、ここでＨcとは、送風機のブレード５の下流端と分離デフレクタ１０の下流端との間の距離である。
【００３４】
分離デフレクタ１０の広がった下流端部１０Ａに接する直線Ｔは、好ましくは、図に採用されている向きで見て、前記環状のラジアルデフレクタ３０の上流端のレベルまたはその下方に配置される。
【００３５】
分離デフレクタ１０の上流端１０Ｂは、ハウジング２０の壁の外側に突出している。
【００３６】
ブレード５と分離デフレクタ１０の下流端との間の半径方向の遊びＪ１は、１ｍｍと７ｍｍの間であり、好ましくはほぼ４ｍｍに等しい。
【００３７】
ブレードとラジアルデフレクタの内側端との間の半径方向遊びＪ２は、１ｍｍと７ｍｍの間であり、好ましくはほぼ４ｍｍに等しい。
【００３８】
図３は、環状ラジアルデフレクタ３０の配置が異なる第２の実施形態を示す。
【００３９】
前記環状のラジアルデフレクタ３０は、ここでは角度をつけられており、三角法において、縦軸線に対して４５°と９０°との間の角度αを成す。
【００４０】
本発明は、好ましく非制限的な実施形態に従い、上に説明され図面に示されている。
【００４１】
特に、分離デフレクタ１０の上流端はハウジング２０の内部に配置してもよく、そのときの分離デフレクタ１０の上流端と当該分離デフレクタが通過するハウジング２０の壁との間の距離は、分離デフレクタ１０の上流側１０Ｂの内径の１０％である。
【図１】
0006479977.tif 000002
【図２】
0006479977.tif 000003
【図３】
0006479977.tif 000004